(57)【要約】  【課題】少ない工数で上下方向位置を変更可能なランバーサポートを有する椅子を簡単に製造できるようにする。  【解決手段】複数の孔６１ｄを有した背板６１の前面にランバーサポート７を着脱可能に装着することが可能な椅子において、前記ランバーサポート７が、着座者の腰部をサポートするためのランバーサポート本体７１と、前記孔６１ｄのいずれかに選択的に挿入されて該背板６１に取り付けられ前記ランバーサポート本体７１を保持するランバーベース７２とを具備してなる構成を採用する。  【選択図】図４
2010063819.tif 000002
【特許請求の範囲】
【請求項１】
複数の孔を有した背板の前面にランバーサポートを着脱可能に装着することが可能な椅子であって、前記ランバーサポートが、着座者の腰部をサポートするためのランバーサポート本体と、前記孔のいずれかに選択的に挿入されて該背板に取り付けられ前記ランバーサポート本体を保持するランバーベースとを具備してなるものであることを特徴とする椅子。
【請求項２】
前記ランバーサポートが、前記ランバーサポート本体を前記ランバーベースに上下移動可能に取り付けるための案内機構を備えている請求項１記載の椅子。
【請求項３】
前記ランバーサポートが、前記ランバーサポート本体の上下移動に節度感を付与するための節度機構を備えている請求項２記載の椅子。
【請求項４】
前記ランバーベースが、前記孔のいずれかを利用して前記背板の前面から突出させて設けた突起を有するものであり、前記ランバーサポート本体が、インナープレートと、このインナープレートの前面に装着したサポートパッドとを備えたものであり、前記案内機構が、前記インナープレートに形成され前記突起が相対的に上下移動可能に貫通するスリットを備えたものである請求項２記載の椅子。
【請求項５】
前記ランバーベースが、前記孔のいずれかを利用して前記背板の前面から突出させて設けた突起を有するものであり、前記ランバーサポート本体が、インナープレートと、このインナープレートの前面に装着したサポートパッドとを備えたものであり、前記案内機構が、前記インナープレートに形成され前記突起が相対的に上下移動可能に貫通するスリットを備えたものであり、前記節度機構が、前記突起に形成された節度子要素と、前記スリットの縁部に形成され前記節度子要素が選択的に弾性を利用して係り合う複数の節度係合要素とを備えたものである請求項３記載の椅子。
【請求項６】
前記節度機構が、前記インナープレートに設けられ前記節度係合要素を有したスリット縁部の弾性変形を助長するための変形助長部を備えている請求項５記載の椅子。
【請求項７】
前記インナープレートが、ランバーサポート本体を上下移動させるための取手を備えている請求項４、５又は６記載の椅子。
【請求項８】
前記背板が合成樹脂製のものであって、複数の孔を設けた樹脂メッシュ領域と、孔を有しない樹脂シェル領域とを備えたものである請求項１記載の椅子。
【請求項９】
前記背板に設けた複数の孔が該背板に樹脂メッシュ領域を形成するためのものである請求項８記載の椅子。
【発明の詳細な説明】
【技術分野】
【０００１】
本発明は、着座者の腰部をサポートすべくランバーサポートを設けた椅子に関する。
【背景技術】
【０００２】
従来、着座者の腰部をサポートすべくランバーサポートを設けた椅子が種々知られている。このような椅子の一例として、例えば、左右に延伸するランバーサポートを設けているとともに、このランバーサポートの上下方向の位置を変更可能にすべく、背板の左右両端にスリットを設け、このスリット内部に取付凹部を上下方向に離間させて複数設けているとともに、前記スリットにランバーサポートの左右両取付端部を挿し通し、前記取付凹部に前記ランバーサポートの左右両取付端部に設けた突起を係り合わせることにより、背板にランバーサポートを支持する態様のものが考えられている（例えば、特許文献１を参照）。
【特許文献１】特開２００８−３６４公報
【発明の開示】
【発明が解決しようとする課題】
【０００３】
ところで、特許文献１記載の構成の椅子においては、背板をメッシュ状に形成している一方、メッシュを形成するための孔とは別に前記取付凹部を形成しているので、このような椅子の製造の工数が多くなることがある。また、ランバーサポートを設けない椅子においては、上述した背板の左右両端のスリットや取付凹部は必要でないので、ランバーサポートの有無に対応して、複数種類の背板を用意する必要があるという不具合が存在する。
【０００４】
本発明はこのような課題を解決すること、すなわち、少ない工数により、また最小限の設計変更により上下方向位置を変更可能なランバーサポートを有する椅子を製造できるようにすることを目的とする。
【課題を解決するための手段】
【０００５】
すなわち本発明に係る椅子は、前記課題を解決すべく、複数の孔を有した背板の前面にランバーサポートを着脱可能に装着することが可能な椅子であって、前記ランバーサポートが、着座者の腰部をサポートするためのランバーサポート本体と、前記孔のいずれかに選択的に挿入されて該背板に取り付けられ前記ランバーサポート本体を保持するランバーベースとを具備してなるものであることを特徴とする。
【０００６】
このようなものであれば、ランバーベースを挿入する孔を変更することによりランバーサポートの上下方向位置を変更可能であるので、メッシュ状に形成したもの等複数の孔を有した背板の構成をそのまま利用してランバーサポートの上下方向位置を変更可能な椅子を実現できる。
【０００７】
ランバーサポートの上下方向位置をより容易に変更できるようにするためには、前記ランバーサポートが、前記ランバーサポート本体を前記ランバーベースに上下移動可能に取り付けるための案内機構を備えているものが望ましい。このようなものであれば、ランバーサポートを背板に取り付けたままランバーサポートを案内機構に案内させつつ上下移動させることができるからである。
【０００８】
ランバーサポートを背板に取り付けたままランバーサポートを複数の上下方向位置のいずれかに選択的に安定して保持できるようにするには、前記ランバーサポートが、前記ランバーサポート本体の上下移動に節度感を付与するための節度機構を備えているものが望ましい。
【０００９】
一方、前記案内機構を簡単に形成できる態様として、前記ランバーベースが、前記孔のいずれかを利用して前記背板の前面から突出させて設けた突起であり、前記ランバーサポート本体が、インナープレートと、このインナープレートの前面に装着したサポートパッドとを備えたものであり、前記案内機構が、前記インナープレートに形成され前記突起が相対的に上下移動可能に貫通するスリットを備えたものが挙げられる。
【００１０】
また、前記案内機構を簡単に形成できるとともに、ランバーサポートを背板に取り付けたままランバーサポートを複数の上下方向位置のいずれかに選択的に安定して保持できる態様として、前記ランバーベースが、前記孔のいずれかを利用して前記背板の前面から突出させて設けた突起であり、前記ランバーサポート本体が、インナープレートと、このインナープレートの前面に装着したサポートパッドとを備えたものであり、前記案内機構が、前記インナープレートに形成され前記突起が相対的に上下移動可能に貫通するスリットを備えたものであり、前記節度機構が、前記突起に形成された節度子要素と、前記スリットの縁部に形成され前記節度子要素が選択的に弾性を利用して係り合う複数の節度係合要素とを備えたものであるものが挙げられる。
【００１１】
特に、前記節度機構が、前記インナープレートに設けられ前記節度係合要素を有したスリット縁部の弾性変形を助長するための変形助長部を備えているものであれば、ランバーサポートを上下に移動させる際にスリット縁部が弾性変形しやすくなるので、ランバーサポートの上下方向位置の変更をより容易に行うことができる。
【００１２】
また、ランバーサポートの上下方向位置の変更を容易に行えるようにするには、前記インナープレートが、ランバーサポート本体を上下移動させるための取手を備えているものが望ましい。このようなものであれば、取手を把持してランバーサポート本体を上下移動させることができるからである。
【００１３】
そして、複数の孔を有した背板を有する椅子の一例として、前記背板が合成樹脂製のものであって、複数の孔を設けた樹脂メッシュ領域と、孔を有しない樹脂シェル領域とを備えたものが挙げられる。
【００１４】
特に、前記孔が該背板に樹脂メッシュ領域を形成するためのものであれば、このような樹脂メッシュ領域を形成するための孔をランバーサポートを装着するための孔として兼用できる。
【発明の効果】
【００１５】
本発明に係る椅子の構成によれば、ランバーベースを挿入する孔を変更することによりランバーサポートの上下方向位置を変更可能であるので、多数の孔によってメッシュ状に形成した背板の構成をそのまま利用して、製造工数を増加させることなく、また、背板側の設計変更を行うことなく、上下方向位置を変更可能なランバーサポートを有する椅子を実現できる。
【発明を実施するための最良の形態】
【００１６】
以下、本発明をシンクロチルト式の事務用回転椅子１００に適用した場合の一実施形態につき、図面を参照して説明する。
【００１７】
この椅子１００は、図１〜図３に示すように、脚１と、この脚１の上部に支持され水平旋回可能な支持基部２と、この支持基部２の上に配された座受３と、この座受３に保持された座４と、前記支持基部２に後傾動作可能に設けられた背支持体５と、この背支持体５に取り付けられた背凭れ６とを具備してなる。
【００１８】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１９】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる図示しない傾動反力発生機構とを具備してなる。前記傾動反力発生機構は、コイルスプリングやガススプリング等を用いた通常のものであるため、説明を省略する。
【００２０】
前記座受３は、前記座４を保持するシェル状のもので、その前端側が前記支持基部２に前後動可能に取り付けられているとともに、その後端側が前記背支持体５の基端部に支持されている。
【００２１】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上部を二股に分岐させて分岐桿部５１ａ２を形成している。この分岐桿部５１ａ２は、略直線状に起立している。前記弾性横桿５２は、中間部二箇所を前記背支桿５１の上端部、さらに具体的には各分岐桿部５１ａ２の上端部に枢軸たる図示しない取付軸を介して支持させた板ばね状のもので、その両端部で前記背凭れ６を支えている。
【００２２】
前記背凭れ６は、背板６１を主体に構成されたものである。前記背板６１は、背板本体６１ａとこの背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。前記背板本体６１ａは、合成樹脂により作られたもので、孔６１ｄを有しない周縁枠部６１ａ１と、この周縁枠部６１ａ１に囲まれた中間面部６１ａ２とを具備してなる。前記中間面部６１ａ２は、複数の孔６１ｄを設けた樹脂メッシュ領域Ｍと、孔６１ｄを有しない樹脂シェル領域Ｓとを備えたもので、その樹脂メッシュ領域Ｍと樹脂シェル領域Ｓとを交互に配置している。具体的には、前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これら樹脂シェル領域Ｓ間及び樹脂シェル領域Ｓと周縁枠部６１ａ１との間に前記樹脂メッシュ領域Ｍがそれぞれ形成されている。前記樹脂メッシュ領域Ｍは、前記樹脂シェル領域Ｓよりも薄肉に形成されており、多数の孔６１ｄを有している。前記樹脂シェル領域Ｓの前面と前記樹脂メッシュ領域Ｍの前面とは面一に形成されている。また、前記樹脂メッシュ領域Ｍの背面は、前記樹脂シェル領域Ｓの背面よりも凹んで設けられている。一方、前記周縁枠部６１ａ１の前面と前記中間面部６１ａ２との境界には、段部６１ａ３が形成されている。換言すれば、前記段部６１ａ３を境にして、前記中間面部６１ａ２が前記周縁枠部６１ａ１よりも前方にせり出すような形態をなしている。また、本実施形態では、この背板６１の前方に外装材６２を取り付け可能にしている。この外装材６２は、背凭れ６の前面を形成する張地及びこの張地と背板との間に配されるクッションを有する外装材本体６２ａと、この外装材６２を背板６１の係止縁部すなわち上縁部に係わり合わせるための上縁取付部６２ｂと、この外装材を背板の下縁部に係わり合わせるための下縁取付部６２ｃとを具備する。なお、図中では、この外装材６２は想像線で示している。
【００２３】
さらに、本実施形態では、背凭れ６の上方にヘッドレスト８を設けている。
【００２４】
しかして、この椅子は、前記背板６１の前面にランバーサポート７を着脱可能に装着可能である。
【００２５】
このランバーサポート７は、着座者の腰部をサポートするためのランバーサポート本体７１と、前記孔６１ｄのいずれかに選択的に挿入されて背板６１に取り付けられ前記ランバーサポート本体７１を保持するランバーベース７２とを具備してなる。また、このランバーサポート７は、前記ランバーサポート本体７１を前記ランバーベース７２に上下移動可能に取り付けるための案内機構７３と、前記ランバーサポート本体７１の上下移動に節度感を付与するための節度機構７４とを備えている。
【００２６】
具体的には、前記ランバーサポート本体７１は、インナープレート７１ａと、このインナープレート７１ａの前面に装着したサポートパッド７１ｂとを具備する。前記インナープレート７１ａには、その左右両端部に、前記背凭れ６の外装材６２の左右両側端より外側に延伸する取手７１ａ１を設けている。そして、これら左右の取手７１ａ１間の部位の前方に前記サポートパッド７１ｂを取り付けるようにしている。さらに詳述すると、前記サポートパッド７１ｂの背面には雌ねじ部７１ｂ１を形成している。一方、インナープレート７１ａにはねじ通過孔７１ａ２を設けている。そして、前記ねじ通過孔７１ａ２に雄ねじ部材７１ｃを挿し通し、この雄ねじ部材７１ｃを前記雌ねじ部７１ｂ１にねじ止めすることにより前記インナープレート７１ａと前記サポートパッド７１ｂとを連結するようにしている。
【００２７】
一方、前記ランバーベース７２は、前記孔６１ｄのいずれかを利用して前記背板６１の前面から突出させて設けた突起を有する。さらに詳述すると、このランバーベース７２は、前記背板６１の孔６１ｄを通過して前方に突出しているとともに雌ねじ孔７２ａ１を内部に有する軸部７２ａ２及びこの軸部７２ａ２の前端部を拡開させて設けた頭部７２ａ３を有するＴナット７２ａと、このＴナット７２ａの雌ねじ孔７２ａ１に背板６１の後方からねじ止め可能な雄ねじ部材７２ｂと、前記雄ねじ部材７２ｂの頭部と背板６１の背面との間に配してなるねじ用台座７２ｃとを具備する。ここで、前記Ｔナット７２ａが、前記突起としての機能を有する。
【００２８】
また、前記案内機構７３は、前記インナープレート７１ａに形成され前記ランバーベース７２のＴナット７２ａの軸部７２ａ２が相対的に上下移動可能に貫通するスリット７３ａと、このスリット７３ａに隣接する部位に設けられ前記Ｔナット７２ａの頭部７２ａ３を上下移動可能かつ左右方向への移動は規制した状態で収納する案内溝７３ｂとを備えている。すなわち、このスリット７３ａに前記Ｔナット７２ａの軸部７２ａ２を挿入し、前記案内溝７３ｂに前記Ｔナット７２ａの頭部７２ａ３を収納した状態を保ちつつ、これらスリット７３ａ及び案内溝７３ｂの延伸方向に沿ってランバーサポート本体７１を移動可能にしている。
【００２９】
一方、前記節度機構７４は、前記Ｔナット７２ａの軸部７２ａ２に形成された節度子要素７４ａと、前記スリット７３ａの縁部に形成され前記節度子要素７４ａが選択的に弾性を利用して係り合う複数の節度係合要素７４ｂと、前記インナープレート７１ａに設けられ前記節度係合要素７４ｂを有したスリット７３ａの縁部の弾性変形を助長するための変形助長部７４ｃとを備えている。具体的には、前記スリット７３ａの縁部には、該スリット７３ａの幅寸法を拡開させて、前記Ｔナット７２ａの軸部７２ａ２を略又は完全に隙間なく収納可能な形状の節度係合要素７４ｂを間欠的に複数設けている。一方、前記節度子要素７４ａは、前記Ｔナット７２ａの軸部７２ａ２の外縁を利用して形成している。そして、前記変形助長部７４ｃは、本実施形態では、前記スリット７３ａの外側に該スリット７３ａと平行ないし略平行に延伸する補助スリットであり、前記Ｔナット７２ａと前記スリット７３ａとの相対位置が変更する際に、この変形助長部７４ｃの開口幅が一時的に小さくなるようにインナープレート７１ａが弾性変形するよう構成している。
【００３０】
このようなランバーサポート７は、以下のようにして背板６１に取り付けるようにしている。
【００３１】
まず、前記Ｔナット７２ａの軸部７２ａ２をインナープレート７１ａに形成したスリット７３ａのいずれかの節度係合要素７４ｂに挿し通し、インナープレート７１ａの後方に突出させる。次いで、前記案内溝７３ｂに前記Ｔナット７２ａの頭部７２ａ３を収納させる。その後、雄ねじ部材７１ｃをサポートパッド７１ｂの雌ねじ部７１ｂ１にねじ止めしてこれらインナープレート７１ａとサポートパッド７１ｂとを連結する。それから、前記Ｔナット７２ａの軸部７２ａ２を背板６１の孔６１ｄに挿し通し、ランバーサポート本体７１を所望の高さ位置に位置決めする。そして、雄ねじ部材７２ｂを前記Ｔナット７２ａの雌ねじ孔７２ａ１にねじ止めすることにより、ランバーサポート本体７１をランバーベース７２に保持させる。
【００３２】
また、このランバーサポート７の上下位置の変更操作は、インナープレート７１ａの取手７１ａ１を把持した状態で、ランバーサポート７に上下方向の操作力を加えることにより行う。その際、まず、前記スリット７３ａの節度係合要素７４ｂ間の位置に前記Ｔナット７２ａの軸部７２ａ２が配され、前記スリット７３ａと前記変形助長部７４ｃとの間の部位が弾性変形して前記変形助長部７４ｃ側に移動する。そして、ランバーサポート７に上下方向の操作力をさらに加え、前記スリット７３ａの節度係合要素７４ｂの高さ方向位置と前記Ｔナット７２ａの軸部７２ａ２の高さ方向位置が一致すると、弾性変形した状態が解除され、前記節度係合要素７４ｂと前記Ｔナット７２ａの軸部７２ａ２の外縁とが係り合い、ランバーサポート本体７１が再びランバーベース７２に保持される。
【００３３】
以上に述べたように、本実施形態に係る椅子の構成によれば、複数の孔６１ｄを有した背板６１の前面にランバーサポート７を着脱可能に装着可能であって、前記ランバーサポート７が、着座者の腰部をサポートするためのランバーサポート本体７１と、前記孔６１ｄのいずれかに選択的に挿入されて該背板６１に取り付けられ前記ランバーサポート本体７１を保持するランバーベース７２とを具備してなるので、ランバーベース７２を挿入する孔６１ｄを変更することによりランバーサポート７の上下方向位置を変更可能である。従って、メッシュ状に形成した背板６１の構成をそのまま利用してランバーサポート７の上下方向位置を変更可能な椅子を実現できる。すなわち、製造工数を増加させることなく、また、背板６１側の設計変更を行うことなく、ランバーサポート７の上下方向位置を変更可能な椅子を実現できる。
【００３４】
また、前記ランバーサポート７が、前記ランバーサポート本体７１を前記ランバーベース７２に上下移動可能に取り付けるための案内機構７３を備えているので、ランバーサポート７を背板６１に取り付けたままランバーサポート７を案内機構７３に案内させつつ上下移動させることができ、従ってランバーサポート７の上下方向位置をより容易に変更できる。
【００３５】
さらに、前記ランバーサポート７が、前記ランバーサポート本体７１の上下移動に節度感を付与するための節度機構７４を備えているので、ランバーサポート７を背板６１に取り付けたままランバーサポート７を複数の上下方向位置のいずれかに選択的に安定して保持できる。
【００３６】
また、前記ランバーベース７２が、前記孔６１ｄのいずれかを利用して前記背板６１の前面から突出させて設けた軸部７２ａ２を有し、前記ランバーサポート本体７１が、インナープレート７１ａと、このインナープレート７１ａの前面に装着したサポートパッド７１ｂとを備えたものであり、前記案内機構７３が、前記インナープレート７１ａに形成され前記軸部７２ａ２が相対的に上下移動可能に貫通するスリット７３ａを備えたものであるので、前記案内機構７３を簡単に形成できる。
【００３７】
加えて、前記節度機構７４が、前記軸部７２ａ２の外縁に形成された節度子要素７４ａと、前記スリット７３ａの縁部に形成され前記節度子要素７４ａが選択的に弾性を利用して係り合う複数の節度係合要素７４ｂとを備えたものであるので、節度機構７４も簡単な構成で実現できる。
【００３８】
さらに、前記節度機構７４が、前記インナープレート７１ａに設けられ前記節度係合要素７４ｂを有したスリット７３ａの縁部の弾性変形を助長するための変形助長部７４ｃを備えているので、ランバーサポート７を上下に移動させる際にスリット７３ａの縁部が弾性変形しやすくなり、従って、ランバーサポート７の上下方向位置の変更をより容易に行うことができる。
【００３９】
加えて、前記インナープレート７１ａが、ランバーサポート本体７１を上下移動させるための取手７１ａ１を備えているので、取手７１ａ１を把持してランバーサポート本体７１を上下移動させることができ、この点からもランバーサポート７の上下方向位置の変更を容易に行うことができる。
【００４０】
なお、本発明は以上に述べた実施形態に限られない。
【００４１】
例えば、上述した実施形態に係るランバーサポート７に替えて、図６に示すようなランバーサポートＡ７を利用してもよい。このランバーサポートＡ７も、上述した実施形態に係るランバーサポート７と同様に、ランバーサポート本体Ａ７１と、ランバーベースＡ７２とを有する。ランバーサポート本体Ａ７１は、上述した実施形態に係るランバーサポート７のランバーサポート７１と略同様の構成を有する。すなわち、このランバーサポート本体Ａ７１の左右両端部には取手Ａ７１ａを設けている。しかしてこのランバーサポートＡ７のランバーベースＡ７２は、背板６１の前方に設けてなるランバーベース本体Ａ７２ａと、このランバーベース本体Ａ７２ａの前方からランバーベース本体Ａ７２ａに挿し通してなるＴナットＡ７２ｃと、背板６１の後方からこのＴナットＡ７２ｃにねじ止め可能な雄ねじ部材Ａ７２ｂと、この雄ねじ部材Ａ７２ｂと背板の背面との間に位置付けてなるねじ用台座Ａ７２ｄとを具備する。この実施形態では、前記雄ねじ部材Ａ７２ｂを複数利用していて、各雄ねじ部材Ａ７２ｂをそれぞれ背板６１の孔６１ｄに挿し通している。すなわち、この実施形態では、複数の孔６１ｄを利用してランバーベースＡ７２を背板６１に取り付けている。また、この実施形態では、前記ランバーベース本体Ａ７２ａから側方に突出させて節度子要素Ａ７４ａを設けるとともに、ランバーサポート本体Ａ７１にスリットＡ７３ａを設け、このスリットＡ７３ａに前記節度子要素Ａ７２ａ１と係り合い可能な節度係合要素Ａ７４ｂを複数間欠的に設けている。この実施形態では、前記スリットＡ７３ａを前記ランバーベース本体Ａ７２ａが上下移動可能に貫通しているとともに、このスリットＡ７３ａに前記ランバーベース本体Ａ７２ａが衝き当たることによりランバーサポート本体Ａ７１の左右方向への移動を規制するようにしている。このような構成を採用しても、上述した実施形態における主な効果は全て得ることができる。
【００４２】
一方、ここまでに述べた実施の形態では、ランバーサポートを上下移動可能に構成しているが、ランバーサポートは必ずしも上下移動可能でなくてもよい。また、ランバーサポートが上下移動可能でない椅子や、背板が前方空間に露出する椅子においては、ランバーサポートに取手を設ける必要はない。
【００４３】
さらに、前記ランバーサポートに節度機構を備える必要はなく、ランバーサポート本体の上下方向位置を無段階調整可能なタイプのものであってもよい。
【００４４】
また、ランバーサポート本体が、インナープレートに相当する部分と、サポートパッドに相当する部分とを一体に有するものであってもよい。
【００４５】
加えて、インナープレートを弾性係数が小さい材質で形成したものであれば、前記インナープレートから変形助長部を省略してもよい。
【００４６】
その他、本発明の趣旨を損ねない範囲で種々に変更してよい。
【図面の簡単な説明】
【００４７】
【図１】本発明の一実施形態に係る椅子を示す斜視図。
【図２】同実施形態に係る椅子を示す側面図。
【図３】同実施形態に係る椅子の表装材を取り外した状態を示す斜視図。
【図４】同実施形態に係る椅子のランバーサポートの取付態様を示す分解斜視図。
【図５】同実施形態に係る椅子のランバーサポートの取付態様を示す要部縦断面図。
【図６】本発明の他の実施形態に係るランバーサポートの取付態様を示す分解斜視図。
【符号の説明】
【００４８】
１００…椅子
６１…背板
６１ｄ…孔
７、Ａ７…ランバーサポート
７１、Ａ７１…ランバーサポート本体
７２、Ａ７２…ランバーベース
【図１】
2010063819.tif 000003
【図２】
2010063819.tif 000004
【図３】
2010063819.tif 000005
【図４】
2010063819.tif 000006
【図５】
2010063819.tif 000007
【図６】
2010063819.tif 000008